(57)【要約】【課題】既設の建物の屋根に対して施工することが可能であり、施工も容易な屋根遮熱構造及び屋根遮熱工法を提供する。【解決手段】屋根遮熱構造１００は、折板１０と、折板１０を支持するため折板１０の下面１０ｂ側に折板１０の流れ方向と交差する方向に配置された複数の梁材１１と、を備えた折板屋根１３において、所定距離を隔てて隣り合う梁材１１の間であって折板１０の山部１０ａの下方に折板１０の流れ方向と平行をなす姿勢で且つ両端部１２ｂをそれぞれ折板１０の山部１０ａの下方の梁材１１の上面１１ａに載置した状態で所定距離を隔てて配列された複数の支持部材１２と、支持部材１２の両端部１２ｂを梁材１１に係止する係止手段と、支持部材１２の上面１２ａに載った状態で複数の支持部材１１が配列された領域を面状に閉塞するように敷設された遮熱シート１４と、を備えている。【選択図】図１
2020111967.tif 000002
【特許請求の範囲】
【請求項１】
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて配列された複数の支持部材と、
前記支持部材の両端部を前記梁材に係止する係止手段と、
前記支持部材の上面に載った状態で、複数の前記支持部材が配列された領域を面状に閉塞するように敷設された遮熱シートと、を備えた屋根遮熱構造。
【請求項２】
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて配列された複数の支持部材と、
前記支持部材の両端部を前記梁材に係止する係止手段と、
複数の前記支持部材が配列された領域を面状に閉塞するように前記支持部材の下面側に敷設された遮熱シートと、
前記遮熱シートを前記支持部材に固着する固着手段と、を備えた屋根遮熱構造。
【請求項３】
スレート板と、前記スレート板を支持するため前記スレート板の下面側に配置された複数の母屋材と、を備えたスレート屋根において、
複数の前記母屋材が配列された領域を面状に閉塞するように前記母屋材の下面側に敷設された遮熱シート材と、
前記遮熱シートを前記母屋材に固着する固着手段と、を備えた屋根遮熱構造。
【請求項４】
前記支持部材が、バー材、ワイヤー若しくはケーブルである請求項１または２記載の屋根遮熱構造。
【請求項５】
前記係止手段が、前記梁材の一部を把持するクリップと、前記クリップと前記支持部材とを締結する結束バンドである請求項１，２，４の何れかの項に記載の屋根遮熱構造。
【請求項６】
前記固着手段が、両面粘着テープ（若しくは接着剤）とビスである請求項２〜５の何れかの項に記載の屋根遮熱構造。
【請求項７】
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて複数の支持部材を配列する工程と、
前記支持部材の両端部を前記梁材に係止する工程と、
前記支持部材の上面に載った状態で、複数の前記支持部材が配列された領域を面状に閉塞するように遮熱シートを敷設する工程と、を備えた屋根遮熱工法。
【請求項８】
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて複数の支持部材を配列する工程と、
前記支持部材の両端部を前記梁材に係止する工程と、
複数の前記支持部材が配列された領域を面状に閉塞するように前記支持部材の下面側に遮熱シートを敷設する工程と、
前記遮熱シートを前記支持部材に固着する工程と、を備えた屋根遮熱工法。
【請求項９】
スレート板と、前記スレート板を支持するため前記スレート板の下面側に配置された複数の母屋材と、を備えたスレート屋根において、
複数の前記母屋材が配列された領域を面状に閉塞するように前記母屋材の下面側に遮熱シートを敷設する工程と、
前記遮熱シートを前記母屋材に固着する工程と、を備えた屋根遮熱工法。
【発明の詳細な説明】
【技術分野】
【０００１】
本発明は、折板屋根の建物並びにスレート屋根の建物における屋根遮熱構造及び屋根遮熱工法に関する。
【背景技術】
【０００２】
折板屋根の建物における屋根の断熱技術や遮熱技術については、従来、様々な構造、機能を有するものが提案されているが、本発明に関連する従来技術として、例えば、特許文献１に記載された「屋根遮熱構造及びその形成方法」がある。
【０００３】
特許文献１に記載された屋根遮熱構造は、並設された複数の小梁の間に梁配置方向と交差して架け渡され、複数の小梁に取り付けられた複数の折板からなる折板屋根の内側の梁上面側に並置された複数の支持部材と、小梁と支持部材に周囲を載置した一枚ずつからなり、折板との間に空間を確保した状態でそれぞれが支持部材に固着され、折板から建物内部へ輻射熱を遮るシート状遮熱部材と、を有している。
【先行技術文献】
【特許文献】
【０００４】
【特許文献１】特開２０１３−１５５５０７号公報
【発明の概要】
【発明が解決しようとする課題】
【０００５】
特許文献１に記載された「屋根遮熱構造」は、その施工工程において、小梁の上面にタイトフレームを取り付け固着するとき、小梁の上面に、所定間隔で、且つ、両端をそれぞれ小梁の側辺から突出させてフラットバーを溶接しなければならないので、施工に手間を要する。
【０００６】
また、前記「屋根遮熱構造」を施工する場合、折板をタイトフレームに取り付ける前に、遮熱シートが固着された支持部材をフラットバーに取り付ける必要があるため、既設の建物の屋根に施工することが困難である。
【０００７】
そこで、本発明が解決しようとする課題は、既設の建物の屋根に対して施工することが可能であり、施工も容易な屋根遮熱構造及び屋根遮熱工法を提供することにある。
【課題を解決するための手段】
【０００８】
本発明に係る第一の屋根遮熱構造は、
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて配列された複数の支持部材と、
前記支持部材の両端部を前記梁材に係止する係止手段と、
前記支持部材の上面に載った状態で、複数の前記支持部材が配列された領域を面状に閉塞するように敷設された遮熱シートと、を備えたことを特徴とする。
【０００９】
次に、本発明に係る第二の屋根遮熱構造は、
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて配列された複数の支持部材と、
前記支持部材の両端部を前記梁材に係止する係止手段と、
複数の前記支持部材が配列された領域を面状に閉塞するように前記支持部材の下面側に敷設された遮熱シートと、
前記遮熱シートを前記支持部材に固着する固着手段と、を備えたことを特徴とする。
【００１０】
次に、本発明に係る第三の屋根遮熱構造は、
スレート板と、前記スレート板を支持するため前記スレート板の下面側に配置された複数の母屋材と、を備えたスレート屋根において、
複数の前記母屋材が配列された領域を面状に閉塞するように前記母屋材の下面側に敷設された遮熱シート材と、
前記遮熱シートを前記母屋材に固着する固着手段と、を備えたことを特徴とする。
【００１１】
前記屋根遮熱構造においては、前記支持部材は、バー材、ワイヤー若しくはケーブルを使用することができる。
【００１２】
前記屋根遮熱構造においては、前記係止手段は、前記梁材の一部を把持するクリップと、前記クリップと前記支持部材とを締結する結束バンドを使用することができる。
【００１３】
前記屋根遮熱構造においては、前記固着手段は、両面粘着テープ（若しくは接着剤）とビスを使用することができる。
【００１４】
次に、本発明に係る第一の屋根遮熱工法は、
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて複数の支持部材を配列する工程と、
前記支持部材の両端部を前記梁材に係止する工程と、
前記支持部材の上面に載った状態で、複数の前記支持部材が配列された領域を面状に閉塞するように遮熱シートを敷設する工程と、を備えたことを特徴とする。
【００１５】
次に、本発明に係る第二の断熱屋根工法は、
折板と、前記折板を支持するため前記折板の下面側に前記折板の流れ方向と交差する方向に配置された複数の梁材と、を備えた折板屋根において、
所定距離を隔てて隣り合う前記梁材の間であって前記折板の山部の下方に前記折板の流れ方向と平行をなす姿勢で且つ両端部をそれぞれ前記折板の山部の下方の前記梁材の上面に載置した状態で所定距離を隔てて複数の支持部材を配列する工程と、
前記支持部材の両端部を前記梁材に係止する工程と、
複数の前記支持部材が配列された領域を面状に閉塞するように前記支持部材の下面側に遮熱シートを敷設する工程と、
前記遮熱シートを前記支持部材に固着する工程と、を備えたことを特徴とする。
【００１６】
次に、本発明に係る第三の断熱屋根工法は、
スレート板と、前記スレート板を支持するため前記スレート板の下面側に配置された複数の母屋材と、を備えたスレート屋根において、
複数の前記母屋材が配列された領域を面状に閉塞するように前記母屋材の下面側に遮熱シートを敷設する工程と、
前記遮熱シートを前記母屋材に固着する工程と、を備えたことを特徴とする。
【発明の効果】
【００１７】
本発明により、既設の建物の屋根に対して施工することが可能であり、施工も容易な屋根遮熱構造及び屋根遮熱工法を提供することができる。
【図面の簡単な説明】
【００１８】
【図１】本発明の第一の実施形態である屋根遮熱構造を示す一部省略垂直断面図である。
【図２】図１に示す屋根遮熱構造の施工工程を示す一部省略垂直断面図である。
【図３】図２中の矢線Ａで示す領域の一部省略拡大図である。
【図４】図２中の矢線Ｂ方向から見た一部切欠平面図である。
【図５】本発明の第二の実施形態である屋根遮熱構造を示す一部省略垂直断面図である。
【図６】本発明の第三の実施形態である屋根遮熱構造を示す一部省略垂直断面図である。
【発明を実施するための形態】
【００１９】
以下、図１〜図６に基づいて本発明の実施形態である屋根遮熱構造１００，２００，３００並びにその施工法について説明する。
【００２０】
初めに、図１〜図４に基づいて、本発明の第一の実施形態である屋根遮熱構造１００並びにその施工法について説明する。
【００２１】
図１，図４に示すように、屋根遮熱構造１００は、折板１０と、折板１０を支持するため折板１０の下面１０ｂ側に折板１０の流れ方向Ｆと交差する方向に配置された複数の梁材１１と、を備えた折板屋根１３に施工されたものである。梁材１１は、ウェブ１１ｂと、ウェブ１１ｂの上下に形成されたフランジ１１ｆとを有するＨ型鋼が使用されている。
【００２２】
屋根遮熱構造１００は、所定距離を隔てて隣り合う梁材１１の間であって折板１０の山部１０ａの下方に折板１０の流れ方向Ｆと平行をなす姿勢で、且つ、両端部１２ｂをそれぞれ折板１０の山部１０ａの下方の梁材１１の上面１１ａに載置した状態で所定距離を隔てて配列された複数の支持部材１２と、支持部材１２の両端部１２ｂを梁材１１に係止する係止手段２０（図３参照）と、支持部材１２の上面１２ａに載った状態で複数の支持部材１２が配列された領域を面状に閉塞するように敷設された遮熱シート１４と、を備えている。
【００２３】
ここで、図２〜図４に基づいて、屋根遮熱構造１００の施工法について説明する。図２，図４に示すように、折板１０と、複数の梁材１１と、を備えた折板屋根１３において、所定距離を隔てて隣り合う梁材１１の間であって折板１０の山部１０ａの下方に、折板１０の流れ方向Ｆと平行をなす姿勢で、且つ、両端部１２ｂをそれぞれ折板１０の山部１０ａの下方の梁材１１の上面１１ａに載置した状態で所定距離を隔てて複数の支持部材１２を配列する。
【００２４】
本実施形態において、支持部材１２は断面Ｃ字状のＷバー材を使用しているが、これに限定するものではないので、その他の部材、例えば、ワイヤーやケーブルなどを使用することもできる。
【００２５】
次に、図３，図４に示すように、支持部材１２の両端部１２ｂを係止手段２０により梁材１１に係止する。これにより、支持部材１２の両端部１２ｂは梁材１１の上面１１ａに固定される。本実施形態において、係止手段２０は、梁材１１の一部（フランジ１１ｆ）を把持するクリップ２１と、クリップ２１と支持部材１２とを締結する結束バンド２２を使用している。クリップ２１は、ネグロス電工株式会社の商品名「ＦＶラック（ＬＦ４）」を使用しているが、これに限定するものではない。
【００２６】
この後、図１に示すように、支持部材１２の上面１２ａに載った状態で、複数の支持部材１２が配列された領域Ｓ（図４参照）を面状に閉塞するように遮熱シート１４を敷設すると、屋根遮熱構造１００が完成する。図１に示すように、遮熱シート１４は、シート状のガラスファイバー１４ａの両面にアルミ箔１４ｂが接着剤で貼着され、アルミ箔１４ｂの表面には耐食コートが施された構造を有する。遮熱シート１４は、株式会社ライフテックの商品名「サーモバリア」が好適であるが、これに限定するものではない。
【００２７】
屋根遮熱構造１００は、折板屋根１３の下方側（建物の内側）から施工することができるので、既設の建物の屋根に対して容易に施工することが可能である。また、屋根遮熱構造１００は、既設の建物の構造体に対して溶接や切削加工などを施す必要がないので、施工も容易であり、ビス穴などで建物の構造材を傷つけることもないので、テナント物件やリース物件でも施工可能である。さらに、屋根遮熱構造１００は施工後の撤収も容易であるため、建物から退去する際などは容易に施工前の状態へ復帰させることができる。
【００２８】
次に、図５に基づいて、本発明の第二の実施形態である屋根遮熱構造２００について説明する。なお、屋根遮熱構造２００において、図１に示す屋根遮熱構造１００と共通する部分については、図１中の符号と同符号を付して説明を省略する。
【００２９】
図５に示すように、屋根遮熱構造２００は、折板１０と、複数の梁材１１と、を備えた折板屋根１３において、支持部材１２の両端部１２ｂを係止手段２０（図３参照）により梁材１１に係止するところまでは、図１に示す屋根遮熱構造１００と同様である。
【００３０】
係止手段２０により、支持部材１２の両端部１２ｂが梁材１１の上面１１ａに固定されたら、複数の支持部材１２が配列された領域を面状に閉塞するように支持部材１２の下面１２ｃ側に遮熱シート１４を敷設し、支持部材１２の下面１２ｃに貼着された粘着テープ（図示せず）に遮熱シート１４の上面を貼着し、遮熱シート１４の下面側から支持部材１２に向かってビス３０を螺着することによって遮熱シート１４を支持部材１２に固着している。ビス３０は、一般に「ピアスシンワッシャー」などと呼称されているものが好適であるが、これに限定するものではない。
【００３１】
屋根遮熱構造２００は、折板屋根１３の下方側（建物の内側）から施工することができるので、既設の建物の屋根に対して容易に施工することが可能である。また、既設の建物の構造体に対して溶接や切削加工などを施す必要がないので、施工も容易であり、ビス穴などで建物の構造材を傷つけることもないので、テナント物件やリース物件でも施工可能である。さらに、屋根遮熱構造１００は施工後の撤収も容易であるため、建物から退去する際などは容易に施工前の状態へ復帰させることができる。
【００３２】
次に、図６に基づいて、本発明の第三の実施形態である屋根遮熱構造３００について説明する。なお、屋根遮熱構造３００において、図１に示す屋根構造１００と共通する部分については図１中の符号と同符号を付して説明を省略する。
【００３３】
屋根遮熱構造３００は、スレート板１５と、スレート板１５を支持するためスレート板１５の下面側に配置された複数の母屋材１６と、を備えたスレート屋根１７において、複数の母屋材１６が配列された領域を面状に閉塞するように母屋材１６の下面１６ｂ側に敷設された遮熱シート１４と、遮熱シート１４を母屋材１６に固着する固着手段と、を備えている。
【００３４】
本実施形態において、固着手段は、母屋材１６の下面１６ｂと遮熱シート１４の上面との間に介在する粘着テープ（図示せず）と、遮熱シート１４の下面側から母屋材１６に向かって螺着されるビス３０を使用している。
【００３５】
屋根遮熱構造３００は、スレート屋根１７の下方側（建物の内側）から施工することができるので、既設の建物の屋根に対して容易に施工することが可能である。また、既設の建物の構造体に対して溶接などを施す必要がないので、施工も容易である。
【００３６】
なお、図１〜図６に基づいて説明した屋根遮熱構造１００，２００，３００及びその施工方法は、本発明に係る屋根遮熱構造及び屋根遮熱工法を例示するものであり、本発明に係る屋根遮熱構造及び屋根遮熱工法は、前述した屋根遮熱構造１００，２００，３００及びその施工方法に限定されない。
【産業上の利用可能性】
【００３７】
本発明に係る屋根遮熱構造及び屋根遮熱工法は、折板屋根の建物並びにスレート屋根の建物における屋根遮熱手段として建設業の分野において広く利用することができる。
【符号の説明】
【００３８】
１０  折板
１０ａ  山部
１０ｂ  下面
１１  梁材
１１ａ  上面
１１ｂ  ウェブ
１１ｆ  フランジ
１２  支持部材
１２ａ  上面
１２ｂ  端部
１２ｃ  下面
１３  折板屋根
１４  遮熱シート
１４ａ  ガラスファイバー
１４ｂ  アルミ箔
１５  スレート板
１６  母屋材
１６ｂ  下面
１７  スレート屋根
２０  係止手段
２１  クリップ
２２  結束バンド
３０  ビス
１００，２００，３００  屋根遮熱構造
Ｆ  流れ方向
Ｓ  領域
【図１】
2020111967.tif 000003
【図２】
2020111967.tif 000004
【図３】
2020111967.tif 000005
【図４】
2020111967.tif 000006
【図５】
2020111967.tif 000007
【図６】
2020111967.tif 000008